(57)【要約】【課題】  防犯ブザーからの音が小さくなることがなく、しかもぬいぐるみ本体が型くずれすることや解れなどが発生することがないぬいぐるみを提供する点にある。【解決手段】  ぬいぐるみ本体１に防犯ブザー２を保持するための保持手段５を備えさせ、前記保持手段５が、前記ぬいぐるみ本体１の外面側に前記防犯ブザー２を収納するための収納空間を形成するためのカバー部材３と、該カバー部材３内に前記防犯ブザー２を出し入れするために該カバー部材３に備えさせた開閉部４とからなり、前記カバー部材３が防犯ブザー２の音を通過可能な孔３Ａが形成されたものから構成した。【選択図】        図１
2006023822.tif 000002
【特許請求の範囲】
【請求項１】
ぬいぐるみ本体に防犯ブザーを保持するための保持手段を備えさせ、前記保持手段が、前記ぬいぐるみ本体の外面側に前記防犯ブザーを収納するための収納空間を形成するためのカバー部材と、該カバー部材内に前記防犯ブザーを出し入れするために該カバー部材に備えさせた開閉部とからなり、前記カバー部材が防犯ブザーの音を通過可能な孔が形成されたものから構成したことを特徴とするぬいぐるみ。
【請求項２】
前記開閉部を、一列状に多数の務歯が取り付けられてなる一対の帯状部材と、前記両務歯間に跨って該両務歯同士を互いに噛み合わせたり離脱させたりして開口を開閉するためのファスナーとから構成してなる請求項１記載のぬいぐるみ。
【請求項３】
前記カバー部材を、前記防犯ブザーの存在を視認可能な網状部材から構成してなる請求項１又は２記載のぬいぐるみ。
【請求項４】
前記帯状部材の長手方向両端のうちの少なくとも一方を、該帯状部材の長手方向と直交する幅方向両側を前記ぬいぐるみ本体に固定し、前記防犯ブザーの引っ張り操作部を前記帯状部材の一端の両側固定部間に形成される隙間を通してカバー部材の外部に配置してなる請求項２に記載のぬいぐるみ。
【請求項５】
前記ぬいぐるみ本体が動物からなり、そのぬいぐるみ本体の背中部又は腹部に前記カバー部材を取り付け、前記防犯ブザーを平面視卵型のものから構成してなる請求項１〜４のいずれかに記載のぬいぐるみ。
【発明の詳細な説明】
【技術分野】
【０００１】
本発明は、防犯ブザーを収納可能なぬいぐるみに関する。
【背景技術】
【０００２】
上記ぬいぐるみにおいては、ぬいぐるみ本体の内部に防犯ブザーを収納可能な空間を備えさせ、その空間内に防犯ブザーを出し入れ可能な開閉部であるファスナーを備えさせて、そのファスナーを開放操作して防犯ブザーをぬいぐるみ本体内に入れてから防犯ブザーの引っ張り操作部をぬいぐるみ本体に形成した開口を通してぬいぐるみ本体の外部に取り出すようにしている（例えば、特許文献１参照）。
【特許文献１】特開２００１−２５０１７４号公報
【発明の開示】
【発明が解決しようとする課題】
【０００３】
上記特許文献１のぬいぐるみでは、防犯ブザーをぬいぐるみ本体内に入れていることから、引っ張り操作部を引っ張って防犯ブザーを鳴らした場合に、ぬいぐるみ本体が防犯ブザーの音が外部に出てしまうことを阻止することになり、防犯ブザーからの音が小さなものになってしまい、実用的ではなかった。
又、ぬいぐるみ本体内に防犯ブザーを収納する構成では、防犯ブザーを十分に収納することができるように防犯ブザーの外形寸法よりも少し大きめの収納空間をぬいぐるみ本体内に確保することになるため、重量のある防犯ブザーを入れたぬいぐるみ本体自身の形を保持することが難しく、型くずれを起こすこともあった。
又、防犯ブザーの引っ張り操作部をぬいぐるみ本体から外部に出すための開口をぬいぐるみ本体に形成しなければならず、その開口部において解れなどが発生することもあった。
【０００４】
本発明が前述の状況に鑑み、解決しようとするところは、防犯ブザーからの音が小さくなることがなく、しかもぬいぐるみ本体が型くずれすることや解れなどが発生することがないぬいぐるみを提供する点にある。
【課題を解決するための手段】
【０００５】
本発明は、前述の課題解決のために、ぬいぐるみ本体に防犯ブザーを保持するための保持手段を備えさせ、前記保持手段が、前記ぬいぐるみ本体の外面側に前記防犯ブザーを収納するための収納空間を形成するためのカバー部材と、該カバー部材内に前記防犯ブザーを出し入れするために該カバー部材に備えさせた開閉部とからなり、前記カバー部材が防犯ブザーの音を通過可能な孔が形成されたものから構成したことを特徴としている。
ぬいぐるみ本体に防犯ブザーを保持するための保持手段を備えさせることによって、ぬいぐるみ本体自体を改造することがない。しかも、開閉部を開いて防犯ブザーを内部に入れてから、開閉部を閉じて、防犯ブザーを鳴らした場合に、防犯ブザーの音をカバー部材の孔を通して外部に出すことが可能であることから、ぬいぐるみに遮られて防犯ブザーの音が小さくなることがない。
【０００６】
前記開閉部を、一列状に多数の務歯が取り付けられてなる一対の帯状部材と、前記両務歯間に跨って該両務歯同士を互いに噛み合わせたり離脱させたりして開口を開閉するためのファスナーとから構成しもよい。
【０００７】
前記カバー部材を、前記防犯ブザーの存在を視認可能な網状部材から構成してもよい。
【０００８】
前記帯状部材の長手方向両端のうちの少なくとも一方を、該帯状部材の長手方向と直交する幅方向両側を前記ぬいぐるみ本体に固定し、前記防犯ブザーの引っ張り操作部を前記帯状部材の一端の両側固定部間に形成される隙間を通してカバー部材の外部に配置してもよい。
【０００９】
前記ぬいぐるみ本体が動物からなり、そのぬいぐるみ本体の背中部又は腹部に前記カバー部材を取り付け、前記防犯ブザーを平面視卵型のものから構成してもよい。
【発明の効果】
【００１０】
ぬいぐるみ本体に防犯ブザーを保持するための保持手段を備えさせることによって、ぬいぐるみ本体自体を改造することがないから、ぬいぐるみ本体が型くずれすることや解れなどが発生することがなく、長期間に渡って良好に使用することができる。しかも、防犯ブザーを鳴らした場合に、防犯ブザーの音をカバー部材の孔を通して外部に出すことが可能であることから、ぬいぐるみに遮られて防犯ブザーの音が小さくなることがなく、防犯ブザーによる防犯効果を十分発揮させることができる。
【００１１】
開閉部を、一列状に多数の務歯が取り付けられてなる一対の帯状部材と、前記両務歯間に跨って該両務歯同士を互いに噛み合わせたり離脱させたりして開口を開閉するためのファスナーとから構成することによって、ホックやボタンなどから構成したものに比べて、開閉操作を迅速に行うことができる。
【００１２】
カバー部材を、防犯ブザーの存在を視認可能な網状部材から構成することによって、ぬいぐるみ本体に防犯ブザーが装着されているかどうかを直ちに確認することができる。
【００１３】
帯状部材の長手方向両端のうちの少なくとも一方を、帯状部材の長手方向と直交する幅方向両側をぬいぐるみ本体に固定し、防犯ブザーの引っ張り操作部を帯状部材の一端の両側固定部間に形成される隙間を通してカバー部材の外部に配置することによって、その隙間を介して防犯ブザーの位置決めを行うことができるだけでなく、特別に孔を形成することを不要にすることができる。
【００１４】
ぬいぐるみ本体が動物からなり、そのぬいぐるみ本体の背中部又は腹部に前記カバー部材を取り付け、前記防犯ブザーを平面視卵型のものから構成することによって、防犯ブザーがぬいぐるみ本体から大きくはみ出してしまうことがなく、防犯ブザーをぬいぐるみ本体と一体感を出すことができる。
【発明を実施するための最良の形態】
【００１５】
図１及び図２に、犬のぬいぐるみ本体１に防犯ブザー２が保持されたぬいぐるみが示されている。このぬいぐるみ本体１は、顔を含む頭と手足と胴体の全てを有する完成品から構成しているが、頭だけのものや動物以外のものであってもよい。
【００１６】
前記ぬいぐるみ本体１の胴体の腹部にそれの外表面側に外表面との協同で前記防犯ブザー２を収納するための収納空間を形成するためのカバー部材３を縫い付け、該カバー部材３内に前記防犯ブザー２を出し入れするために該カバー部材３のほぼ中心部に該カバー部材３をぬいぐるみ本体１の左右方向でほぼ２つに分割するように開閉部４を備えさせて、防犯ブザー２をぬいぐるみ本体１に保持させる保持手段５を構成している。従って、開閉部４を開放操作してから防犯ブザー２を収納してから開閉部４を閉じることによって、カバー部材３内に防犯ブザー２を保持することができるようになっている。ここでは、胴体の腹部の大きさとほぼ同一の大きさを有する平面視ほぼ卵型の防犯ブザー２から構成することによって、ぬいぐるみ本体１の外形から防犯ブザー２が大きくはみ出すことがなく、ぬいぐるみ本体１との一体感を出すことができ、購買力を高めることができるようにしているが、防犯ブザー２の形状及び大きさは図に示されるもの以外であってもよい。
【００１７】
前記カバー部材３は、防犯ブザー２の音を通過可能な孔３Ａが多数形成された布製又は皮製又は合成樹脂製からなり、具体的には、防犯ブザー２の存在を視認可能な網状（メッシュ状）部材から構成してあり、ぬいぐるみ本体１に防犯ブザー２が装着されているかどうかを直ちに確認することができる。前記孔３Ａの大きさは、防犯ブザー２の圧電ブザーＢから開口２Ｓを通して発する音を遮ることがなく、しかも防犯ブザー２が外部に飛び出さない程度に設定することになる。図１及び図２では、防犯ブザー２のケーシングに形成された前記開口２Ｓが後述する帯状部材４Ａ，４Ａの真下に位置させているが、防犯ブザー２と帯状部材４Ａ，４Ａとの間に発生する隙間を通して、開口２Ｓからのブザー音の一部が帯状部材４Ａ，４Ａの横側に位置するカバー部材３側へ移動し、カバー部材３の孔３Ａを通して外部に出るようになっているが、開口２Ｓをカバー部材３の真下に位置するように形成してもよいし、又、帯状部材４Ａ，４Ａを防犯ブザー２の音を通過可能な孔３Ａが多数形成されたものから構成してもよい。
【００１８】
前記開閉部４は、一列状に多数の務歯４ａが取り付けられてなる一対の布製又は皮製又は合成樹脂製（他の素材であってもよい）の帯状部材４Ａ，４Ａと、前記両務歯４ａ，４ａ間に跨って該両務歯同士を互いに噛み合わせたり離脱させたりして開口を開閉するためのファスナー４Ｂとから構成しているが、ホックやボタンなどから構成することもできる。前記帯状部材４Ａ，４Ａを省略して前記カバー部材３にファスナー４Ｂを直接取り付ける構成であってもよい。
【００１９】
前記帯状部材４Ａ，４Ａの長手方向両端のそれぞれを、該帯状部材４Ａ，４Ａの長手方向と直交する幅方向両側を前記ぬいぐるみ本体１に縫い付けて固定し（接着剤にて固定してもよい）、前記防犯ブザー２の一端に突設している引っ張り操作部６を前記帯状部材４Ａ，４Ａの一端の両側固定部４Ｔ，４Ｔ間に形成される隙間Ｓを通してカバー部材３の外部に突出配置することができるようにしている。前記引っ張り操作部６には、多数のリング部材７を介してこれらよりも大きな引っ張り操作用リング部材８を連結している。従って、引っ張り操作用リング部材８を引っ張り操作することによって、防犯ブザー２を鳴らすことができるようになっている。
又、前記帯状部材４Ａ，４Ａの他端の両側固定部４Ｔ，４Ｔ間に形成される隙間Ｓを通して防犯ブザー２の他端に突設している突出部９をカバー部材３の外部に突出配置している。前記突出部９には、リング部材１０を介して紐体１１が連結されており、首などに掛けてぬいぐるみを吊り下げることができるようになっているが、紐体１１を省略して実施することもできる。
前記のように、帯状部材４Ａ，４Ａの長手方向両端のそれぞれに形成される隙間Ｓ，Ｓに防犯ブザー２の両端６，９を位置させることによって、防犯ブザー２がカバー部材３内で不測に移動することがなく、確実な位置決めを行うことができる利点があるが、一端のみ隙間Ｓに位置させて実施してもよい。
【００２０】
図３及び図４では、ぬいぐるみ本体１がラッコから構成し、そのラッコの胴体の背中に防犯ブザー２を備えさせた場合を示している。図３に示す１２は、帯状部材４Ａ，４Ａの長手方向一端に縫い付けた布製（合成樹脂などであってもよい）の補強部材であるが、無くてもよい。図に示す説明しなかった他の構成は、図１及び図２のものと同一であるため、同一の符号を付して、説明を省略している。
【図面の簡単な説明】
【００２１】
【図１】防犯ブザーを備えたぬいぐるみの底面図である。
【図２】防犯ブザーを備えたぬいぐるみの斜め下方から見た底面図である。
【図３】防犯ブザーを備えた他のぬいぐるみの平面図である。
【図４】防犯ブザーを備えた他のぬいぐるみの斜め下方から見た底面図である。
【符号の説明】
【００２２】
１  ぬいぐるみ本体
２  防犯ブザー
３  カバー部材
３Ａ  孔
４Ｂ  ファスナー
４Ｔ  固定部
４ａ  務歯
４Ａ  帯状部材
４  開閉部
５  保持手段
６  作部
７  リング部材
８  操作用リング部材
９  突出部
１０  リング部材
１１  紐体
１２  補強部材
Ｓ  隙間
【図１】
2006023822.tif 000003
【図２】
2006023822.tif 000004
【図３】
2006023822.tif 000005
【図４】
2006023822.tif 000006